(57)【特許請求の範囲】
【請求項１】
被取付部に取り付けられる照明器具であって、
複数のＬＥＤ光源と、
前記複数のＬＥＤ光源の各々の下方に配置される複数の反射板を備える反射板部材と、 前記反射板部材における前記各反射板の光出射面を覆う底板と、前記底板に連接し、前記反射板部材の側部を覆う側板と、を備える光透過性のパネルと、
を備え、
前記反射板部材の側部と前記パネルの前記側板との間に第１の隙間が形成され、
前記反射板部材における前記複数の反射板のうちの、前記反射板部材の側部となる部分を備える、最も外側に配置される反射板における下方頂部と、前記パネルの前記底板の上面との間に第２の隙間が形成され、
前記パネルの、前記底板と前記側板との連接箇所に、前記パネル内の空間に向かって凸である曲面を有し、かつ光拡散性を有する第１の光拡散部が設けられ、
前記第１の光拡散部は、前記ＬＥＤ光源と、前記最も外側に配置される反射板における前記下方頂部の下方頂点と、を結ぶ接線を基準として外側に配置され、
前記第１の隙間および前記第２の隙間を経由して前記パネルの外側に出射される拡散光によって、前記被取付部の下面が照射される照明器具。
【請求項２】
請求項１に記載の照明器具において、
前記パネルの前記側板に、光拡散性を有する第２の光拡散部が設けられる照明器具。
【請求項３】
請求項１または請求項２に記載の照明器具において、
前記複数のＬＥＤ光源の各々が共通のＬＥＤ基板に実装されて、ＬＥＤユニットが構成される照明器具。
【発明の詳細な説明】
【技術分野】
【０００１】
本発明は、ＬＥＤを光源として例えば店舗や施設のベースライト等に適用される照明器具に関する。
【背景技術】
【０００２】
従来より、複数のＬＥＤ光源および反射板をパネルに収容した照明器具が知られている（例えば、特許文献１参照）。
【先行技術文献】
【特許文献】
【０００３】
【特許文献１】特開２００８−２７０１４４号公報（図２、段落００２８）
【発明の概要】
【発明が解決しようとする課題】
【０００４】
前述した特許文献１に記載された照明器具は、反射板が複数のＬＥＤ光源をそれぞれ取り囲んで配置されているために、複数のＬＥＤ光源からの光を床面に向けて照射することができる。
前述した特許文献１に記載された照明器具は、配光制御のための反射板がパネルの内面に取り付けられる。パネルは透明なアクリル材料等の透過材で構成される。
【０００５】
しかし、前述した特許文献１に記載された照明器具は、ＬＥＤ光源からの光が下方にのみ照射されて、パネルの側方へは照射されない。
従って、前述した特許文献１に記載された照明器具は、取付面である天井施工面に光が照射されず、空間の明るさ感が得られない。
【０００６】
本発明は、前述した課題を解決するためになされたものであり、その目的は、空間の明るさ感を増加できる照明器具を提供することにある。
【課題を解決するための手段】
【０００７】
本発明の照明器具は、被取付部に取り付けられる照明器具であって、複数のＬＥＤ光源と、前記複数のＬＥＤ光源の各々の下方に配置される複数の反射板を備える反射板部材と、前記反射板部材における前記各反射板の光出射面を覆う底板と、前記底板に連接し、前記反射板部材の側部を覆う側板と、を備える光透過性のパネルと、を備え、前記反射板部材の側部と前記パネルの前記側板との間に第１の隙間が形成され、前記反射板部材における前記複数の反射板のうちの、前記反射板部材の側部となる部分を備える、最も外側に配置される反射板における下方頂部と、前記パネルの前記底板の上面との間に第２の隙間が形成され、前記パネルの、前記底板と前記側板との連接箇所に、前記パネル内の空間に向かって凸である曲面を有し、かつ光拡散性を有する第１の光拡散部が設けられ、前記第１の光拡散部は、前記ＬＥＤ光源と、前記最も外側に配置される反射板における前記下方頂部の下方頂点と、を結ぶ接線を基準として外側に配置され、前記第１の隙間および前記第２の隙間を経由して前記パネルの外側に出射される拡散光によって、前記被取付部の下面が照射される。
【０００８】
本発明に係る照明器具は、前記パネルの前記側板に、光拡散性を有する第２の光拡散部が設けられる。
【０００９】
本発明に係る照明器具は、前記複数のＬＥＤ光源の各々が共通のＬＥＤ基板に実装されて、ＬＥＤユニットが構成される。
【発明の効果】
【００１０】
本発明に係る照明器具によれば、空間の明るさ感を増加できるという効果を奏する。
【図面の簡単な説明】
【００１１】
【図１】本発明に係る第１実施形態の照明器具の斜め下方から視た外観斜視図
【図２】図１の照明器具の斜め上方から視た外観斜視図
【図３】図１の照明器具に適用されるパネルの斜め下方から視た外観斜視図
【図４】図１の照明器具に適用される反射板部材の斜め下方から視た外観斜視図
【図５】図１の照明器具の垂直断面図
【図６】図１の照明器具の要部の断面図
【図７】図１の照明器具の要部の詳細を説明する拡大断面図
【図８】図１の照明器具の光学的な特性を説明する断面図
【図９】本発明に係る第２実施形態の照明器具に適用されるパネルの斜め下方から視た外観斜視図
【図１０】（Ａ）は本発明に係る第３実施形態の照明器具に適用されるパネルの水平断面図、（Ｂ）は（Ａ）の垂直断面図
【図１１】図１０の照明器具に適用されるパネルの拡大断面図
【発明を実施するための形態】
【００１２】
以下、本発明に係る複数の実施形態の照明器具について図面を参照して説明する。
(第１実施形態)
本発明に係る第１実施形態の照明器具１０は、天板１２と側板１３とを有して枠形状に形成された器具本体１１と、複数のＬＥＤ光源１５を実装した単一のＬＥＤ基板１６を有して器具本体１１の長手方向に複数配列されたＬＥＤユニット１４と、複数のＬＥＤ光源１５に対応した複数の反射板１８を有してＬＥＤユニット１４のそれぞれに組付けられた複数の反射板部材１７と、複数の反射板部材１７と同数であって複数の反射板部材１７に組付けられた複数のパネル１９と、点灯装置２０とを備えて店舗や施設の天井施工面１に直接取り付けられて設置されるベースライトに適用される。
【００１３】
図１に本発明に係る第１実施形態の照明器具１０の斜め下方から視た外観斜視図を示し、図２に照明器具１０の斜め上方から視た外観斜視図を示す。
図１に示すように、照明器具１０は、器具本体１１が複数のＬＥＤユニット１４を側板１３の長手方向に収容している。単一のＬＥＤユニット１４は、器具本体１１の幅方向および長手方向に複数のＬＥＤ光源（図５参照)１５を配置している。
【００１４】
図２に示すように、点灯装置２０は、器具本体１１の上部に取り付けられた点灯装置箱２１内に収容されている。点灯装置２０は、不図示のＡＣ／ＤＣコンバータやインバータ回路等であり、駆動により商用電源を直流電源に変換してＬＥＤ基板１６に有するプリント回路に供給してＬＥＤ光源１５を発光させる。
【００１５】
図３に照明器具１０に適用されるパネル１９の斜め下方から視た外観斜視図を示す。
図３に示すように、パネル１９は、透明なアクリル樹脂材料を用いて反射板部材１７を覆う形状に形成されている。パネル１９は意匠性を有する化粧パネルである。パネル１９は、底板２２を有するとともに、底板２２において器具本体１１の長手方向の端部側に配置される端板２３を有する。パネル１９は、器具本体１１の長手方向に直交する側部に側板２４を有し、側板２４の上端部にフランジ２５を有する。
【００１６】
図４に照明器具１０に適用される反射板部材１７の斜め下方から視た外観斜視図を示す。
図４に示すように、反射板部材１７は、例えば白色の硬質な樹脂材料を基材として器具本体１１の天板１２の内側に収容される外形を有して形成されている。反射板部材１７には、ＬＥＤ光源１５の数と同数の反射板１８が形成されている。
【００１７】
図５に照明器具１０の垂直断面図を示し、図６に照明器具１０の要部の断面図を示す。
図５に示すように、器具本体１１は、垂直断面視コ字形状の側板１３の内側に四角形の枠形状に形成された天板１２が溶接等により接合されている。ＬＥＤ基板１６は、天板１２の下方に配置されており、複数のＬＥＤ光源１５が下方に向けて光軸を有して所定位置に実装されている。反射板部材１７は、四角錐形状に配置された反射面２６を有する複数の反射板１８の外側に垂直方向に配置された立上板２７を有する。反射板部材１７は、複数の反射板１８の上方頂部に上方開口部２８を有し、上方開口部２８がＬＥＤ光源１５に対応して配置される。反射板部材１７は、ねじ２９のねじ込みにより器具本体１１の天板１２の下面に取り付けられている。
【００１８】
図６に示すように、パネル１９は、器具本体１１の天板１２の下方に配置された反射板部材１７の立上板２７を覆って配置されており、そのフランジ２５が器具本体１１の側板１３に支持されている。点灯装置箱２１は、ねじ３０により器具本体１１の側板１３に取り付けられている。
【００１９】
図７に照明器具１０の要部の詳細を説明する拡大断面図を示す。
図７に示すように、パネル１９は、反射板部材１７の立上板２７と間に第１隙間３１を有する。第１隙間３１は、反射板部材１７の外側の４方に配置されており、反射板部材１７とパネル１９との嵌合および温度上昇に伴う膨張を考慮した大きさを有する。パネル１９は、反射板部材１７の立上板２７の側部に配置される側板２４の内面に第１光拡散部３２を有する。第１光拡散部３２は、パネル１９の側板２４の長手方向に沿って形成される。第１光拡散部３２は、側板２４の内面を粗く仕上げた粗面仕上面であり第１隙間３１内に配置される。
【００２０】
パネル１９は、側板２４の外面に第２光拡散部３３を有する。第２光拡散部３３は、パネル１９の側板２４の長手方向に沿って形成される。第２光拡散部３３は、側板２４の外面を粗く仕上げた粗面仕上面である。第１光拡散部３２および第２光拡散部３３は、ＬＥＤ光源１５と反射板部材１７の下方頂点３４とを結ぶ接線３５よりも外側に形成されている。そして、パネル１９は、その底板２２と反射板部材１７の下方頂点３４との間に第２隙間３６を有する。第２隙間３６は、ＬＥＤ光源１５からの光のうち、パネル１９の底板２２において反射した反射光を側板２４へ向ける。
【００２１】
なお、第１光拡散部３２および第２光拡散部３３は、粗く仕上げた粗面仕上面に代えて、シボ加工等でもよい。また、拡散させたい部分のみの材質を、拡散率の高い材料に変更して２色成形したり、あるいは、拡散させたい部分に拡散シート等の別部材を挟んだりしてもよい。
【００２２】
図８に照明器具１０の光学的な特性を説明する断面図を示す。
図７を含め、図８に示すように、照明器具１０は、点灯装置２０が駆動されることにより直流電源がＬＥＤ基板１６のプリント回路に供給されてＬＥＤ光源１５が発光される。ＬＥＤ光源１５からの光は、パネル１９の底板２２を透過して床面に照射されるとともに反射板部材１７の反射板１８に有する反射面２６により反射されてからパネル１９の底板２２を透過して床面に主に照射される。
そして、ＬＥＤ光源１５からの光の一部は、パネル１９の底板２２の内面において反射されてから、第２隙間３６を通じてパネル１９の側板２４へ向けて進行され、パネル１９の側板２４を透過して器具本体１１の側方へ向けて進行されて天井施工面１を照射することになる。
【００２３】
このとき、天井施工面１に照射される光は、点光源であるＬＥＤ光源１５の反射光および直接光ではなく、パネル１９と反射板部材１７との間の第１隙間３１を介して第１光拡散部３２および第２光拡散部３３により拡散されて生成された拡散光であるために、輝度むらによる外観低下を防止して天井施工面１を広範囲に明るく照射する。
また、第１光拡散部３２および第２光拡散部３３が、ＬＥＤ光源１５と反射板部材１７の下方頂点３４とを結ぶ接線３５よりも外側に形成されていることにより、下方への照射光を拡散により低下させることなく側方への照射光を拡散できる。
【００２４】
以上、説明した本発明に係る第１実施形態の照明器具１０は、パネル１９において反射板部材１７の立上板２７と間に第１隙間３１を有し、パネル１９において反射板部材１７の立上板２７の側部に配置される側板２４の内面に第１光拡散部３２を有する。
従って、本発明に係る第１実施形態の照明器具１０は、ＬＥＤ光源１５からの光の一部が、パネル１９と反射板部材１７の間の第１隙間３１を介して第１光拡散部３２により拡散された拡散光に生成されることにより天井施工面１を広範囲に明るく照射して空間の明るさ感を増加できる。
【００２５】
また、本発明に係る第１実施形態の照明器具１０は、パネル１９において、その底板２２と反射板部材１７の下方頂点３４との間に第２隙間３６を有する。
従って、本発明に係る第１実施形態の照明器具１０は、第２隙間３６を通じて、ＬＥＤ光源１５からの光のうち、パネル１９の底板２２において反射した反射光を側板２４に効率良く向けることができる。
【００２６】
そして、本発明に係る第１実施形態の照明器具１０は、第１光拡散部３２および第２光拡散部３３が、ＬＥＤ光源１５と反射板部材１７の下方頂点３４とを結ぶ接線３５よりも外側に形成される。
従って、本発明に係る第１実施形態の照明器具１０は、第１光拡散部３２および第２光拡散部３３により、下方への照射光を拡散により低下させることなく側方への照射光を効率良く拡散できる。
【００２７】
（第２実施形態）
次に、本発明に係る第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００２８】
図９に本発明に係る第２実施形態の照明器具に適用されるパネルの斜め下方から視た外観斜視図を示す。
図９に示すように、本発明に係る第２実施形態の照明器具４０に適用されるパネル４１は、側板２４の外面に第２光拡散部３３を有するとともに端板２３の外面に第３光拡散部４２を有する。
【００２９】
本発明に係る第２実施形態の照明器具４０は、パネル４１が、側板２４の外面に第２光拡散部３３を有するとともに端板２３の外面に第３光拡散部４２を有する。
従って、本発明に係る第２実施形態の照明器具４０は、ＬＥＤ光源１５からの光の一部が、第２光拡散部３３および第３光拡散部４２により拡散された拡散光に生成されることにより、照明器具４０の長手方向を含めて天井施工面１を広範囲に明るく照射して空間の明るさ感を増加できる。
【００３０】
（第３実施形態）
次に、本発明に係る第３実施形態の照明器具について説明する。
図１０（Ａ）に本発明に係る第３実施形態の照明器具に適用されるパネルの水平断面図を示し、図１０（Ｂ）に図１０（Ａ）の垂直断面図を示し、図１１に本発明に係る第３実施形態の照明器具に適用されるパネル拡大断面図を示す。
【００３１】
図１０（Ａ）および図１０（Ｂ）に示すように、本発明に係る第３実施形態の照明器具５０に適用されるパネル５１は、側板２４の長手方向に光拡散部に相当するプリズム状の凹凸面５２を有する。
図１１に示すように、プリズム状の凹凸面５２は、例えば半球形状の凸部を連結して形成されている。
【００３２】
本発明に係る第３実施形態の照明器具５０は、パネル５１が、側板２４の長手方向に光拡散用のプリズム状の凹凸面５２を有する。
従って、本発明に係る第３実施形態の照明器具５０は、パネル５１の凹凸面５２が、例えば、やすり等を用いて粗面仕上面を粗く仕上げる場合と比べて、成形を簡単にできる。
【００３３】
なお、本発明の照明器具において器具本体，ＬＥＤ光源，反射板等は前述した実施形態に限定されるものでなく、適宜な変形や改良等が可能である。
【符号の説明】
【００３４】
１０，４０，５０  照明器具
１５  ＬＥＤ光源
１７  反射板部材(反射板)
１８  反射板
１９，４１，５１  パネル
２７  立上板（立ち上がり面）
３１  第１隙間（隙間）
３２  第１光拡散部（光拡散部）
３３  第２光拡散部（光拡散部）
３４  下方頂点
３５  接線
３６  第２隙間（隙間）
４２  第３光拡散部（光拡散部）
５２  凹凸面（光拡散部）
【図１】
0005635325.tif 000002
【図２】
0005635325.tif 000003
【図３】
0005635325.tif 000004
【図４】
0005635325.tif 000005
【図５】
0005635325.tif 000006
【図６】
0005635325.tif 000007
【図７】
0005635325.tif 000008
【図８】
0005635325.tif 000009
【図９】
0005635325.tif 000010
【図１０】
0005635325.tif 000011
【図１１】
0005635325.tif 000012